(57)【特許請求の範囲】
【請求項１】
ケーシングに、加熱室と、加熱室の開口を覆う開閉可能な扉と、加熱調理を制御する制御装置とが設けられ、操作用の静電容量スイッチと、静電容量スイッチを温める加熱部とを備え、制御装置は、静電容量スイッチの操作に応じて加熱調理を制御し、扉が開放されたとき加熱部を動作させることを特徴とする加熱調理器。
【請求項２】
扉に、静電容量スイッチが設けられたことを特徴とする請求項１記載の加熱調理器。
【請求項３】
静電容量スイッチの表面側に透光性を有する化粧板が設けられ、静電容量スイッチを搭載した基板が化粧板に密着され、加熱部が基板に搭載されたことを特徴とする請求項１または２記載の加熱調理器。
【請求項４】
静電容量スイッチを搭載した基板の外周に沿って加熱部を形成する導線が這い回されたことを特徴とする請求項１〜３のいずれかに記載の加熱調理器。
【発明の詳細な説明】
【技術分野】
【０００１】
本発明は、タッチ式の操作キーを備えた加熱調理器に関する。
【背景技術】
【０００２】
加熱調理器は、タッチ式の操作キーを備えており、操作キーとして、静電容量スイッチが用いられる。操作キーは透光性を有する化粧板に覆われている。化粧板が静電気によって帯電していると、ユーザが操作キーに触れたとき、操作されていないにもかかわらず、操作されたと検知され、誤動作するおそれがある。また、ユーザが帯電した指で操作キーを操作しても、操作キーが反応しないことがある。
【０００３】
操作キーの静電気対策として、特許文献１には、操作キーの電極が接地電位にある筐体に接近して配置されることが記載されている。
【先行技術文献】
【特許文献】
【０００４】
【特許文献１】特開２００３−３０３６７３号公報
【発明の概要】
【発明が解決しようとする課題】
【０００５】
しかし、操作キーが接地電位にある筐体から離れて配置されている場合、操作キーの電極が接地できるように、配線を施さなければならない。そこで、本発明は、上記に鑑み、操作キーの電極を接地しなくても、静電気の影響を低減できる加熱調理器の提供を目的とする。
【課題を解決するための手段】
【０００６】
本発明は、操作用の静電容量スイッチと、静電容量スイッチを温める加熱部とを備えたものである。静電容量スイッチは、静電気に帯電していると、ユーザの操作に反応しなかったり、誤動作することがある。静電容量スイッチが温められると、静電気が発生しにくくなり、静電容量スイッチの動作が安定する。
【０００７】
ケーシングに、加熱室と、加熱室の開口を覆う開閉可能な扉と、静電容量スイッチの操作に応じて加熱調理を制御する制御装置とが設けられ、制御装置は、扉が開放されたとき加熱部を動作させる。
【０００８】
加熱調理を行うために扉が開けられると、加熱部が動作して、静電容量スイッチが温められる。したがって、ユーザが加熱調理のための操作するとき、静電容量スイッチは静電気の影響を受けない。
【０００９】
扉に、静電容量スイッチが設けられる。扉が開けられ、その後扉が閉められたとき、静電容量スイッチは十分に温められ、操作時の静電気の影響を排除できる。
【００１０】
静電容量スイッチの表面側に透光性を有する化粧板が設けられ、静電容量スイッチを搭載した基板が化粧板に密着され、加熱部が基板に搭載される。加熱部の動作により、ユーザが直接触れる化粧板が温められ、化粧板に帯電する静電気を低減できる。
【発明の効果】
【００１１】
本発明によると、静電容量スイッチが温められることにより、静電気が発生しにくくなり、スイッチの誤動作や無反応をなくすことができる。
【図面の簡単な説明】
【００１２】
【図１】本発明の加熱調理器の正面図
【図２】第１実施形態の加熱調理器の断面図
【図３】加熱調理器のケーシングの底板の平面図
【図４】加熱調理器の制御ブロック図
【図５】他の形態の加熱調理器の断面図
【図６】操作キーの加熱部を有する操作パネルの裏面図
【図７】操作キーが配された扉の断面図
【図８】後から提供される無線通信の音声を優先して発話するときのフローチャート
【図９】後から提供される本体側の音声を優先して発話するときのフローチャート
【図１０】先の本体側の音声を優先して発話するときのフローチャート
【図１１】優先する音声を決めて、発話するときのフローチャート
【図１２】着脱可能な表示パネルを備えた加熱調理器を示す図
【発明を実施するための形態】
【００１３】
（第１実施形態）
本実施形態の加熱調理器を図１〜３に示す。加熱調理器は、加熱室１が形成されたケーシング２２と、蒸気加熱を行うための蒸気発生部と、高周波加熱を行うための高周波加熱部と、オーブン加熱を行うためのオーブン部とを備えている。加熱室１は、前面を開口され、ハンドル３付きの扉４が開閉可能に設けられる。
【００１４】
蒸気発生部は、水の加熱により蒸気を発生する蒸気発生装置１０と、蒸気発生用の水を貯える水タンク１１とを有する。水タンク１１は蒸気発生装置１０に接続され、ポンプにより水タンク１１の水が蒸気発生装置１０に供給される。水は蒸気発生装置１０のヒータにより加熱され、水蒸気が生成される。生成された水蒸気は、加熱室１に吹き出される。
【００１５】
水タンク１１は、ケーシング２の底板１２に着脱可能に設けられる。ケーシング２の前面の下部に、水受け１３が設けられる。水受け１３は、扉４の下方に配される。底板１２の加熱室１の下方の前面側に、水タンク１１を収容するタンクケース１４が設けられる。タンクケース１４の開口が水受け１３の下側に位置する。この開口から水タンク１１が出し入れされ、水タンク１１はケーシング２の前面側に内装される。
【００１６】
加熱室１の後面に、循環ファン１５が設けられる。モータ１６により循環ファン１５が駆動されると、加熱室１内の水蒸気や空気が吸い込まれて、循環ヒータ１７により加熱される。加熱された水蒸気や空気が加熱室１に吹き出される。
【００１７】
高周波加熱部は、マグネトロン１８と、回転アンテナ１９を有する。マグネトロン１８は、ケーシング２の底板１２上に設けられ、加熱室１の下方の後部に位置している。マグネトロン１８が駆動されると、マイクロ波が発生し、マイクロ波は導波管２０により加熱室１下部に導かれる。マイクロ波は回転アンテナ１９により撹拌されながら加熱室１内に放射される。
【００１８】
オーブン部は、加熱室１内を加熱するオーブン用のヒータ２１を有する。ヒータ２１は、加熱室１の上部に設けられる。
【００１９】
扉４の前面に、操作パネル２２が設けられる。操作パネル２２は、表示パネル２３と複数の操作キー２４とを有する。表示パネル２１は、タッチパネルとされ、表示パネル２１の液晶ディスプレイに操作キー２４が表示される。表示パネル２１の下側に操作キー２４が配される。
【００２０】
図４に示すように、加熱調理器は、蒸気加熱、高周波加熱およびオーブン加熱を行うために、蒸気発生部、高周波加熱部およびオーブン部を駆動制御する制御装置３０を備えている。加熱室１の下方の底板１２上に、電源回路や駆動回路などの電装品を搭載した電装基板３１が配され、制御装置３０は電装基板３１に搭載されている。底板１２上に、電装基板３１を冷却する冷却ファン３２が設けられている。
【００２１】
加熱調理器には、加熱室１の温度を検出する温度センサ３３、扉４の開閉を検出する扉セン３４サなどの各種検出器が設けられ、各検出器は制御装置３０に接続されている。制御装置３０は、マイクロコンピュータ、メモリなどの記憶部、入出力インターフェースなどから構成される。操作キーが操作されると、制御装置３０は、検出器の出力に基づいて蒸気発生部などの各部を制御して、加熱調理を行う。
【００２２】
加熱調理器は、外部の通信機器と無線通信を行う無線通信ユニット３５を備えている。無線通信ユニット３５は、無線ＬＡＮルータ、スマートフォンなどの通信機器と無線ＬＡＮによる無線通信を行う。無線通信ユニット３５は、インターフェースを介して制御装置３０に接続される。制御装置３０は、無線通信ユニット３５を制御して、インターネットを通じてレシピなどの情報を取得したり、ソフトウェアをダウンロードする。また、制御装置３０は、通信機器にメッセージや機器のエラーなどの情報を発信する。
【００２３】
無線通信ユニット３５は、無線ＬＡＮによる無線通信を行う。無線通信ユニット３５は、アンテナ、無線信号の送受信を行う通信部、所定の通信方式にしたがって無線通信を制御するための制御部、メモリなどを１つのパッケージに内蔵して構成される。なお、アンテナは、外部アンテナであってもよい。
【００２４】
また、加熱調理器は、音声を出力する発話部３６を備えている。発話部３６は、スピーカと音声生成部を有する。制御装置３０が音声データを発話部３６に出力すると、音声生成部は、音声データをアナログ化して、音声信号を生成する。スピーカは、音声信号に基づいて音声を発する。ここで、音声を提供する音源として、加熱調理器本体と、通信機器と通信を行う無線通信ユニット３５とがあげられる。本体側からの音声として、操作キー２４が操作されたとき、制御装置３０は、操作内容に応じた音声を提供する。また、加熱調理中、制御装置３０は、加熱調理の進捗状況や使用状況に応じた音声を提供する。無線通信ユニット３５からの音声として、無線通信ユニット３５は、無線通信を行って、通信機器から情報を受け取り、この情報を制御装置３０に出力する。制御装置３０は、情報に応じた音声を提供する。
【００２５】
ところで、加熱調理器は、壁際に設置されることが多く、加熱調理器の背面や側面が壁に面している。また、加熱調理器のケーシングは金属製となっている。そのため、無線通信の電波が壁やケーシングによって減衰して、通信に障害を来たす。特許文献（特開２００４−１３９８３４号公報）に記載された加熱調理器では、無線通信ユニットのアンテナがケーシングの前面に設けられている。
【００２６】
加熱調理器では、加熱調理が行われると、加熱室が高温になる。ケーシング２の前側に配された無線通信ユニット３５は、加熱室１の熱の影響を受けやすく、不具合を起こすおそれがある。そこで、熱の影響を受けずに、安定した無線通信を行えるようにする必要がある。
【００２７】
ここで、水タンク１１の周囲は高温になりにくい。加熱室１からの熱の影響を避けるために、無線通信ユニット３５は水タンク１１の周囲に配される。水タンク１１を収容しているタンクケース１４の下側に無線通信ユニット３５が取り付けられる。なお、無線通信ユニット３５と制御装置３０とを接続するケーブルはケーシング２内に配線され、外部に露出しない。
【００２８】
水タンク１１により加熱室１からの熱が遮断され、無線通信ユニット３５の温度は上がらない。そのため、加熱中であっても、無線通信ユニット３５は加熱室１からの熱の影響を受けることがない。したがって、無線通信ユニット３５を安定して動作させることができる。
【００２９】
しかも、水タンク１１はケーシング２の前面側にあるため、無線通信ユニット３５もケーシング２の前面側に位置する。水タンク１１の前方は開放されており、電波がケーシング２や壁に遮られることがなく、通信機器と無線通信ユニット３５との間で無線通信を確実に行うことができる。
【００３０】
他の形態の加熱調理器として、図５に示すように、水タンク１１がケーシング２の外側に設けられる。ケーシング２の底板１２の前方に凹み３７が形成され、凹み３７に水タンク１１が設けられる。水受け１３に一体的にタンクケース３８が形成される。このタンクケース３８に水タンク１１の上部がスライド可能に保持される。これにより、水タンク１１は、ケーシング２に着脱可能に装着される。そして、無線通信ユニット３５は、水タンク１１の周囲に設けられる。なお、その他の構成は上記の加熱調理器と同じである。
【００３１】
無線通信ユニット３５は、水タンク１１の下面に取り付けられる。無線通信ユニット３５は、ケーシング２の外部に位置するので、良好に無線通信を行うことができるとともに、加熱室１からの熱の影響を受けることはない。また、無線通信ユニット３５を制御装置３０と接続するためのインターフェースとして、ＵＳＢを用いることができる。無線通信ユニット３５のＵＳＢコネクタをケーシング２の底板１２に設けられたＵＳＢポートに差し込むことにより、簡単に無線通信ユニット３５をケーシング２に装着することができる。
【００３２】
ここで、加熱調理器の操作キー２４は、静電容量スイッチを用いている。操作キー２４の表面側に、透光性を有する化粧板４０が配されている。化粧板４０が静電気により帯電していると、ユーザが操作キー２４に触れたとき、操作されていないにもかかわらず、操作されたと検知され、誤動作するおそれがある。また、ユーザが帯電した指で操作キー２４を操作しても、操作キー２４が反応しないことがある。
【００３３】
図６，７に示すように、扉４に、操作キー２４を温める加熱部が設けられる。ここで、温める操作キー２４は、表示パネル２３の下側に配されたものである。なお、その他の構成は第１〜第６実施形態と同じである。
【００３４】
静電容量式の操作キー２４は、指でタッチされたことを検出するための電極４１と、電極４１の静電容量の変化を検出する検出回路（図示せず）とを備えている。複数の電極４１がフレキシブル基板４２の表面に形成され、各電極４１と検出回路とを接続する導線４３がフレキシブル基板４２に形成される。検出回路は、扉４のヒンジに沿って配線されたケーブルを通じてケーシング２内の制御装置３０に接続される。
【００３５】
操作パネル２２の前面は、扉４に取り付けられたポリカーボネート製あるいはガラス製の化粧板４０に覆われている。ポリカーボネート製の化粧板４０の場合、ガラス製に比べて、価格が安く、割れなどのおそれが少なく、取り扱いが容易である。化粧板４０の裏面に、導電性インクにより操作キーに対応する文字４４が印刷されている。描かれた文字４４に電極４１が対向するように、フレキシブル基板４２が両面テープによって化粧板４０に貼り付けられる。
【００３６】
加熱部は、電極４１の周囲に設けられたヒータ４５とされる。フレキシブル基板４２の外周に沿って発熱用の導線が這い回されて、ヒータ４５が形成される。ヒータ４５に通電されることにより、ヒータ４５が発熱して、操作キー２４が温められる。操作キー２４からの熱は化粧板４０に伝導し、化粧板４０も温められる。
【００３７】
一般的に、静電気は２５℃を下回ると生じやすい環境となる。操作キー２４の周囲の化粧板４０が温められることにより、化粧板４０の前面および裏面に静電気が発生しにくくなる。ユーザが操作キー２４の近くを触れても、操作キー２４は反応せず、静電気による誤動作をなくすことができる。また、操作キー２４を操作したにもかかわらず、操作キー２４が反応しないといったことを防ぐことができる。したがって、静電気の影響を排除して、安定した入力を行える操作キー２４を実現できる。
【００３８】
このように、常時ヒータ４５に通電することにより、静電気対策は万全となる。ところで、加熱調理器が使用されるのは、調理を行うときである。それ以外の時間は使用されない。そこで、加熱調理器の消費電力を削減するために、制御装置３０は、ヒータ４５の動作を制御し、所定のタイミングでヒータ４５を動作させる。すなわち、扉４が開かれたとき、操作パネル２２の電源がオンされる。表示パネル２３に操作キー２４が表示される。制御装置３０は、扉４が開かれたことを検知したとき、ヒータ４５を動作させる。そして、操作キー２４が操作されてから何も操作されずに一定時間経過したとき、制御装置３０は、ヒータ４５の動作を停止させる。
【００３９】
加熱調理が行われるとき、ユーザは扉４を開く。操作パネル２２の電源がオンされると同時にヒータ４５に通電される。ユーザは、加熱室１に加熱するための調理物を入れ、扉４を閉める。この間に、操作キー２４および化粧板４０が温められる。ユーザは、温められた操作キー２４を操作する。
【００４０】
このように、扉４が開いているとき、扉４に設けられた操作キー２４を操作することができない。そこで、扉４が開いたときに、操作キー２４の加熱を開始することにより、扉４を閉じて操作キー２４を操作するまでに、操作キー２４や化粧板４０を十分に温めることができる。したがって、ユーザは、静電気の影響を受けずに操作キー２４を操作できる。操作が終了して一定時間、例えば１分間経過すると、ヒータ４５への通電が停止される。
【００４１】
（第２実施形態）
高周波加熱部は、所定の周波数の電磁波を発する加熱装置である。すなわち、マグネトロン１８は２．４ＧＨｚの電磁波を発する。また、無線ＬＡＮで用いられる電波の周波数は２．４ＧＨｚである。したがって、高周波加熱と無線通信が同時に行われると、電磁波が干渉し、 無線通信が正常に行えないおそれがある。そこで、加熱装置が動作するとき、加熱装置からの電磁波による影響を受けないように、無線通信ユニット３５の動作が変更される。なお、その他の構成は第１実施形態と同じである。
【００４２】
通常、無線通信ユニット３５は、電源がオンされて、常に無線通信可能な待機状態になっている。制御装置３０は、高周波加熱部が動作するとき、無線通信ユニット３５の電源をオフする。例えば、無線通信ユニット３５は待機状態にあるとき、制御装置３０は、高周波加熱部の動作を開始させると、無線通信ユニット３５の電源をオンからオフにして、無線通信ユニット３５を停止させる。また、無線通信ユニット３５が動作して、無線通信を行っているとき、制御装置３０は、高周波加熱部の動作を開始させると、無線通信ユニット３５の電源をオンからオフにして、無線通信ユニット３５を停止させる。無線通信ユニット３５の電源がオフされることにより、無線通信ユニット３５は通信機器と無線通信が行えなくなる。
【００４３】
このように、高周波加熱部の動作中、無線通信ユニット３５は無線通信を行わない。高周波加熱部が動作していないとき、無線通信ユニット３５は無線通信を行える。したがって、無線通信の電波はマグネトロン１８からのマイクロ波と干渉することはなく、無線通信ユニット３５は無線通信を良好に行える。しかも、無線通信中、無線通信ユニット３５は発熱するが、高周波加熱が行われないので、無線通信ユニット３５の過度の温度上昇を抑えることができ、無線通信ユニット３５の動作に影響を及ぼさない。
【００４４】
（第３実施形態）
加熱調理器は内蔵のスピーカを通じて音声を発する。音声を提供する音源として、加熱調理器本体と無線通信ユニット３５の２つがある。各音源が同時に音声を提供したとき、２つの音声が被って発せられ、音声を聞き取りにくいといった問題が生じる。そこで、本実施形態では、２つの音声が被らないように、いずれか一方の音声だけが優先的に出力される。なお、その他の構成は第１、第２実施形態と同じである。
【００４５】
１つの音源が提供した音声が出力されているときに、他の音源の音声が提供されるとき、制御装置３０は、一方の音源の音声を優先して出力させ、他方の音源の音声の出力を制限する。すなわち、一方の音源の音声が提供されるとき、他方の音源の音声が出力中であると、他方の出力が中断され、一方の音声が出力される。あるいは、一方の音源の音声が出力中のとき、他方の音源の音声が提供されると、他方の出力が一時停止され、一方の音声が引き続き出力される。
【００４６】
ここでは、２つの音声が被るとき、後から提供された音声が優先される。図８に示すように、操作キー２４の操作などにより、加熱調理器本体側から音声が提供されると、制御装置３０は、発話部３６の電源をオンして（Ｓ１）、発話部３６を動作させ、音声を出力させる（Ｓ２）。本体側の音声が出力されているとき、制御装置３０は、無線通信ユニット３５から音声が提供されていないかをチェックする（Ｓ３）。制御装置３０は、音声の出力が終了するまでこのチェックを続ける（Ｓ４）。無線通信ユニット３５から音声の提供がないとき、音声の出力が終了すると、制御装置３０は、発話部３６の電源をオフする（Ｓ５）。
【００４７】
無線通信ユニット３５から音声の提供があると、制御装置３０は、現在出力中の本体側からの音声の出力を停止させる（Ｓ６）。制御装置３０は、一定時間（例えば０．５秒）待って（Ｓ７）、無線通信ユニット３５からの音声を出力させる（Ｓ８）。無線通信ユニット３５からの音声の出力が終了する（Ｓ９）と、制御装置３０は、発話部３６の電源をオフする（Ｓ５）。
【００４８】
図９に示すように、無線通信ユニット３５が通信機器と通信を行って、無線通信ユニット３５から音声が提供されると、制御装置３０は、発話部３６の電源をオンして（Ｓ１１）、発話部３６を動作させ、無線通信ユニット３５からの音声を出力させる（Ｓ１２）。無線通信ユニット３５からの音声が出力されているとき、制御装置３０は、本体側から音声が提供されていないかをチェックする（Ｓ１３）。制御装置３０は、音声の出力が終了するまでこのチェックを続ける（Ｓ１４）。本体側から音声の提供がないとき、音声の出力が終了すると、制御装置３０は、発話部３６の電源をオフする（Ｓ１５）。
【００４９】
本体側から音声の提供があると、制御装置３０は、現在出力中の無線通信ユニット３５からの音声の出力を停止させる（Ｓ１６）。制御装置３０は、一定時間（例えば０．５秒）待って（Ｓ１７）、本体側からの音声を出力させる（Ｓ１８）。本体側からの音声の出力が終了する（Ｓ１９）と、制御装置３０は、発話部３６の電源をオフする（Ｓ１５）。
【００５０】
このように、後から提供される音声が優先して出力されるので、２つの音声が被ることはない。特に、音声の出力中に、外部から緊急の情報が提供されたとき、あるいは加熱調理器に異常が発生したとき、後からの音声が出力されるので、重要な情報をすばやく報知することができる。
【００５１】
（第４実施形態）
本実施形態の加熱調理器では、２つの音声が被るとき、先に提供された音声が優先される。なお、その他の構成は第１〜第３実施形態と同じである。図１０に示すように、操作キー２４の操作などにより、加熱調理器本体側から音声が提供されると、制御装置３０は、発話部３６の電源をオンして（Ｓ２１）、発話部３６を動作させ、音声を出力させる（Ｓ２２）。本体側の音声が出力されているとき、制御装置３０は、無線通信ユニット３５から音声が提供されていないかをチェックする（Ｓ２３）。制御装置３０は、音声の出力が終了するまでこのチェックを続ける（Ｓ２４）。無線通信ユニット３５から音声の提供がないとき、本体側の音声の出力が終了すると、制御装置３０は、発話部３６の電源をオフする（Ｓ２５）。
【００５２】
無線通信ユニット３５から音声の提供があると、制御装置３０は、本体側からの音声の出力を続行させ、無線通信ユニット３５からの音声の出力を一時停止させる（Ｓ２６）。本体側の音声の出力が終了する（Ｓ２７）と、制御装置３０は、一定時間（例えば０．５秒）待って（Ｓ２８）、無線通信ユニット３５からの音声を出力させる（Ｓ２９）。無線通信ユニット３５からの音声の出力が終了する（Ｓ３０）と、制御装置３０は、発話部３６の電源をオフする（Ｓ２５）。
【００５３】
無線通信ユニット３５からの音声が出力されているときに本体側から音声が提供されるときも同様に、先に出力されている無線通信ユニット３５からの音声が終了してから、本体側の音声が出力される。このよう に、先の音声を優先して出力することにより、出力中の音声が中途半端に終わるといったことがなくなり、ユーザは必要な情報を確実に得ることができる。
【００５４】
（第５実施形態）
本実施形態の加熱調理器では、優先して出力される音源が予め決められる。そして、２つの音源からの音声が被るとき、決められた音源からの音声が優先して出力される。なお、その他の構成は第１〜第３実施形態と同じである。
【００５５】
ユーザが優先して出力する音源を設定すると、制御装置３０は、優先する音源をメモリに記憶する。例えば、加熱調理器本体側から提供される音声が優先するように設定される。本体側からの音声が出力されているとき、無線通信ユニット３５から音声が提供されると、制御装置３０は、無線通信ユニット３５からの音声の出力を一時停止させて、本体側からの音声をそのまま出力させる。本体側からの音声の出力が終了すると、制御装置３０は、無線通信ユニット３５からの音声を出力させる。
【００５６】
無線通信ユニット３５からの音声が出力されているとき、本体側から音声が提供されると、制御装置３０は、無線通信ユニット３５からの音声を一時停止させて、本体側からの音声を出力させる。本体側からの音声が終了すると、制御装置３０は、出力中であった無線通信ユニット３５からの音声を出力させる。このとき、一時停止された無線通信ユニット３５からの音声を最初から出力させるとよい。このように、予め優先して出力する音声を決めておくことにより、ユーザが利用する態様に適した音声を出力させることができる。そこで、利用する頻度の高い音源を優先させることにより、必要な情報を聞き漏らすことをなくせる。
【００５７】
他の形態として、２つの音源からの音声が被るとき、その都度優先して出力する音声を決めてもよい。すなわち、出力する音声の重要度に基づいて、重要度の高い音声が優先して出力される。制御装置３０は、出力中の音声の重要度と提供された音声の重要度とを比べて、重要度の高い音声を選び、出力させる音声を決定する。なお、音声の重要度が同じとき、出力中の音声が優先される。
【００５８】
例えば、図１１に示すように、本体側からの音声が出力されているとき（Ｓ３１）、無線通信ユニット３５から音声が提供される（Ｓ３２）と、制御装置３０は、本体側の音声の重要度と無線通信ユニット３５の音声の重要度を比べて、優先すべき音声を決める（Ｓ３３）。音声の重要度は、出力される音声に含まれる言葉に基づいて判断される。制御装置３０は、出力される音声に含まれる言葉を抽出し、抽出された言葉に基づいて音声の重要度を判断する。
【００５９】
本体側の音声の重要度が高いとき、制御装置３０は、現在出力中の音声をそのまま出力させる（Ｓ３４）。本体側の音声の出力が終了すると、制御装置３０は、無線通信ユニット３５からの音声を出力させる（Ｓ３５）。無線通信ユニット３５からの音声の重要度が高いとき、制御装置３０は、出力中の音声を一時停止させて（Ｓ３６）、無線通信ユニット３５からの音声を出力させる（Ｓ３７）。無線通信ユニット３５からの音声の出力が終了すると、本体側の音声が出力される（Ｓ３８）。このように、重要度の高い音声を優先して出力することができるので、すぐに報知しなければならない情報を確実に報知できる。
【００６０】
（第６実施形態）
加熱調理器では、外部の通信機器を通じてインターネットに接続し、レシピやレシピの使用食材のリストがダウンロードされる。スマートフォンのような携帯通信機器があれば、これらの情報をいつでもどこでも収集することができる。しかし、誰でもこのような通信機器を持っているわけではない。一方、特許文献（特開２０１４−７０７３９号公報）には、無線通信可能な携帯通信機器を扉に着脱可能に設けた冷蔵庫が記載されている。
【００６１】
このような通信機器を加熱調理器に設けることにより、加熱調理器において情報を収集し、情報を表示できるとともに、通信機器を扉４から取り外すことにより、携帯通信機器として使用することができる。この通信機器は、情報を収集するためのものであって、加熱調理器を操作するためのものではない。そのため、操作パネル２２が扉４に設けられている。加熱調理器の扉４では、操作パネル２２および通信機器を設置するだけのスペースがない。そこで、本実施形態の加熱調理器は、加熱調理の入力操作と情報収集の２つの機能を有する表示パネル２３を備えている。なお、その他の構成は第１〜第５実施形態と同じである。
【００６２】
表示パネル２３は、扉４に着脱可能に設けられ、無線通信を行うための無線通信ユニット３５を内蔵している。表示パネル２３は、タッチパネルとされ、ディスプレイに操作キー２４が表示される。表示パネル２３に、制御装置３０との間でデータ通信を行うための接続端子が設けられている。扉４に、表示パネル２３を収容するための凹部が形成され、凹部に表示パネル２３の接続端子を接続するためのＵＳＢなどの通信インターフェースが設けられる。
【００６３】
表示パネル２３が凹部に嵌め込まれると、扉４に保持される。表示パネル２３の接続端子が通信インターフェースに接続され、表示パネル２３は、制御装置３０とデータ通信可能となる。また、表示パネル２３は、通信インターフェースを通じて電源を供給される。
【００６４】
扉４が開かれると、表示パネル２３の電源がオンされ、操作キー２４が表示される。操作キー２４が操作されると、制御装置３０は、入力操作に応じて加熱調理を制御する。また、無線通信ユニット３５が通信機器と無線通信を行い、レシピなどの情報を受信すると、制御装置３０は、受け取った情報を記憶部に記憶し、表示パネル２３に情報を表示させる。ユーザが扉４から表示パネル２３を取り外すと、表示パネル２３を携帯することができる。ユーザは表示パネル２３を通信機器として使用することができる。
【００６５】
上記の表示パネル２３は、本来加熱調理器に備わっている操作パネル２２の一部を携帯可能な通信機器として利用できるようにしたものである。逆に、スマートフォンやタブレットなどの携帯通信機器を入力操作可能な表示パネル２３として利用してもよい。この表示パネル２３には、加熱調理器を操作するためのアプリケーションがインストールされており、操作パネル２２が有する操作キー２４と同じ操作キー２４が表示される。表示パネル２３は、上記と同様に通信インターフェースに接続される。なお、ＮＦＣ（Ｎｅａｒｆｉｅｌｄ ｃｏｍｍｕｎｉｃａｔｉｏｎ）といった近距離無線通信を用いてもよく、非接触でデータ通信を行える。さらに、ワイヤレス充電を行ってもよい。
【００６６】
以上の通り、本発明の加熱調理器は、操作用の静電容量スイッチと、静電容量スイッチを温める加熱部とを備えたものである。これにより、静電気に弱い静電容量スイッチを用いた操作キー２４が温められると、静電気が発生しにくくなり、操作キー２４が正しく反応して、操作キー２４の誤動作を防止できる。
【００６７】
ケーシング２に、加熱室１と、加熱室１の開口を覆う開閉可能な扉４と、操作キー２４の操作に応じて加熱調理を制御する制御装置３０とが設けられ、制御装置３０は、扉４が開放されたとき加熱部を動作させる。これにより、操作キー２４が操作される前に、加熱部を動作させることができ、操作キー２４の操作時の静電気の影響を排除できる。
【００６８】
扉４に、操作キー２４が設けられる。これにより、扉４が開いている間に操作キー２４を温めることができる。
【００６９】
操作キー２４の表面側に透光性を有する化粧板４０が設けられ、操作キー２４を搭載した基板４２が化粧板４０に密着され、加熱部が基板４２に搭載される。これにより、ユーザが操作のために触れる化粧板４０を温めることができ、化粧板４０表面での静電気の発生を低減できる。
【００７０】
また、加熱調理器は、ケーシング２に、加熱室１が設けられ、加熱室１の近傍に、蒸気発生用の水を貯える水タンク１１が着脱可能に設けられ、水タンク１１の周囲に、外部の通信機器と無線通信を行うための無線通信ユニット３５が設けられたものである。調理加熱時に水タンク１１の周囲では、高温になりにくいので、無線通信ユニット３５の温度上昇を抑えることができ、無線通信が安定する。
【００７１】
水タンク１１は、加熱室１の下方に配されて、ケーシング２の前面から着脱され、無線通信ユニット３５は、水タンク１１の下に配置される。これにより、水タンク１１により加熱室１からの熱が遮れ、無線通信ユニット３５に熱の影響が及ばない。また、水タンク１１の着脱のために、ケーシング２の前面が開口するので、無線通信の電磁波が遮られることがなく、良好に無線通信を行える。
【００７２】
電磁波を発する加熱装置を備え、加熱装置が動作するとき、加熱装置からの電磁波による影響を受けないように、無線通信ユニット３５の動作が変更される。すなわち、加熱装置が発する電磁波の周波数と無線通信に使用される電波の周波数とが干渉するとき、無線通信ユニット３５の動作が停止される。あるいは無線通信ユニット３５の無線通信の通信方式が無線ＬＡＮから他の通信方式に変更される。これにより、電磁波の影響を受けることなく無線通信を行うことができる。
【００７３】
加熱調理器は、複数の音源を有し、１つの音源が提供した音声が出力されているときに、他の音源の音声が出力されるとき、２つの音声が被らないように、いずれか一方の音声だけが出力される。優先して音声を出力する音源が決められ、２つの音声が被るとき、決められた音源の音声が優先して出力される。すなわち、他方の音声の出力が停止あるいは中断され、一方の音声が優先して出力され、２つの音声が被ることがなくなる。これにより、出力される音声が聞きにくくなることを防げる。
【００７４】
また、入力操作可能な表示パネル２３がケーシング２に着脱可能に設けられ、表示パネル２３は、無線通信機能を有する。これにより、表示パネル２３に入力操作の機能だけでなく、情報収集の機能を付加でき、多用途に利用できる。
【００７５】
なお、本発明は、上記実施形態に限定されるものではなく、本発明の範囲内で上記実施形態に多くの修正および変更を加え得ることは勿論である。操作キー２４はケーシング２の前面に設けられたものであってもよい。
【００７６】
無線通信ユニット３５が無線ＬＡＮに使用する電波の周波数が２．４ＧＨｚと５ＧＨｚのそれぞれの通信方式に対応可能な場合、通信相手の通信機器に応じていずれかの周波数による通信方式が選択される。そこで、高周波加熱部の動作に応じて、電波がマイクロ波と干渉しないように、無線通信で使用する電波の周波数を変更して、無線通信を行う。
【００７７】
また、無線通信ユニット３５が、無線ＬＡＮ以外の通信方式、例えばブルートゥース（登録商標）、ＺｉｇＢｅｅ（登録商標）、赤外線通信、可視光通信などに対応可能な場合、高周波加熱部が動作したとき、無線通信ユニット３５は、通信機器に応じて無線ＬＡＮから他の通信方式に変更する。
【００７８】
加熱調理器が無線通信を行う外部の通信機器として、テレビ、エアコン、冷蔵庫、照明器具などの無線通信機能を有する電気製品であってもよい。
【符号の説明】
【００７９】
１    加熱室
２    ケーシング
４    扉
１１    水タンク
１４    タンクケース
１８    マグネトロン
２２    操作パネル
２３    表示パネル
２４    操作キー
３０    制御装置
３２    無線通信ユニット
３３    発話部
４０    化粧板
４２    フレキシブル基板
４５    ヒータ
【図１】
0006457294.tif 000002
【図２】
0006457294.tif 000003
【図３】
0006457294.tif 000004
【図４】
0006457294.tif 000005
【図５】
0006457294.tif 000006
【図６】
0006457294.tif 000007
【図７】
0006457294.tif 000008
【図８】
0006457294.tif 000009
【図９】
0006457294.tif 000010
【図１０】
0006457294.tif 000011
【図１１】
0006457294.tif 000012
【図１２】
0006457294.tif 000013